(57)【要約】【課題】選挙終了後はポスター貼付用区画枠線、掲示番号などを印刷した表面側シート部分を本体ボードから剥ぎ取ることにより、本体ボードを再使用できるようにした選挙ポスター掲示板を提供する。【解決手段】本体ボード１ａと、この本体ボード１ａと同じ大きさで、表面にポスター貼付用区画枠線イ、掲示番号ロなどが印刷され、裏面には粘着剤１ｃが塗布されていて、その粘着剤１ｃによって本体ボード１ａの表面に貼り付けられるようになっている掲示板表示用シート１ｂと、からなる選挙ポスター掲示板１。【選択図】図２
2006171395.tif 000002
【特許請求の範囲】
【請求項１】
本体ボードと、この本体ボードと同じ大きさで、表面にポスター貼付用区画枠線、掲示番号などが印刷され、裏面には粘着剤が塗布されていて、その粘着剤によって本体ボードの表面に剥離可能に貼り付けられるようになっている掲示板表示用シートと、からなることを特徴とする選挙ポスター掲示板。
【請求項２】
本体ボードは、アルミニウム板又はペットボトル再生板からなることを特徴とする請求項１に記載の選挙ポスター掲示板。
【請求項３】
請求項１又は２に記載された選挙ポスター掲示板と、このポスター掲示板を表面側に配置して保持する掲示板保持枠と、からなる選挙用掲示装置であって、
前記掲示板保持枠は、上下横枠、左右縦枠、中間横枠及び中間縦枠を枠組みすることによって、その表面側に配置した選挙ポスター掲示板の周縁部を保持するように形成され、上下横枠及び中間横枠の各横枠と中間縦枠との組み付け部は、組み付ける縦横の枠どうしを直角に位置規制するための嵌合用切欠溝を介して互いに嵌合させた状態でネジ部材により連結してなることを特徴とする選挙用掲示装置。
【請求項４】
掲示板保持枠の表面側に選挙ポスター掲示板を配置してその周縁部を保持した状態で、選挙ポスター掲示板の表面側所定位置から選挙ポスター掲示板を貫通して中間縦枠側又は中間横枠側に設けたナットにビスをねじ込んで選挙ポスター掲示板を中間縦枠及び又は中間横枠に押し付けて固定するようにしたことを特徴とする請求項３に記載の選挙用掲示装置。
【請求項５】
上下横枠及び中間横枠は夫々裏面側にリップ付き溝部を全長に形成した溝形材からなるもので、上横枠は表面側上縁部に掲示板上縁部保持溝を有し、下横枠は表面側下縁部に掲示板下縁部保持溝を有し、左右各縦枠は、上下横枠及び中間横枠の夫々端面を塞ぐ端板部と、上下横枠及び中間横枠の裏面側に臨む幅広側板部と、それらの表面側に臨む幅狭側板部とを形成した断面略Ｌ字状型材からなるもので、幅広側板部から挿通したボルトを、上下横枠及び中間横枠のリップ付き溝部に長手方向スライド自在で回転不能に挿入したナットに螺合することにより、上下横枠及び中間横枠に連結してなることを特徴とする請求項３又は４に記載の選挙用掲示装置。
【請求項６】
上下各横枠の裏面側に複数個のパイプクランプを配置して、各パイプクランプのクランプ本体を、当該クランプ本体から各横枠のリップ付き溝部に長手方向スライド自在で回転不能に挿入したナットにボルトを螺合することにより取付け固定してなることを特徴とする請求項５に記載の選挙用掲示装置。
【発明の詳細な説明】
【技術分野】
【０００１】
本発明は、公職選挙に使用される立候補者ポスターなどの選挙用ポスターを貼るための選挙ポスター掲示板、及びこの掲示板を含む選挙用掲示装置に関する。
【背景技術】
【０００２】
従来、選挙ポスター掲示板としては、ベニヤ合板の表面に、ポスター貼付用区画枠線、掲示番号及び所要事項を印刷したものが使用されている。また、この選挙ポスター掲示板を保持する従来の掲示板保持枠は、例えば特許文献１に記載されているように、上下支持材、その中間の補強材及びこれらをつなぐ縦連結材からなるもので、上下支持材及びその中間の補強材に複数の縦連結材を架け渡し、ボルト・ナットで固定することにより形成され、この掲示板保持枠の表面側に選挙ポスター掲示板を配置して、上支持材の下向き係止片と下支持材の上向き係止片とにより選挙ポスター掲示板の上下縁部を夫々保持するようになっている。
【特許文献１】特開２００２−１４９０９９号公報
【発明の開示】
【発明が解決しようとする課題】
【０００３】
上記従来の選挙ポスター掲示板では、ポスター貼付用区画枠線、掲示番号などがベニヤ合板に直接印刷されているので、選挙終了後保管して置いたとしても、次の選挙でも同じ候補者数と同じ掲示順序となることは殆どあり得ないことから、専ら使い捨てとなっているのが現状である。しかして、この選挙ポスター掲示板は、使用後には回収して焼却する以外に利用方法がないため、資源保護の面から甚だ好ましくない。また特許文献１に記載されている選挙用掲示装置では、掲示板保持枠を組み立てるのに、上下支持材及び中間補強材の上に複数の縦連結材を重ね合わせ、その重合部をボルト・ナットで固定するため、上下支持材及び中間補強材と縦連結材との直角度を出したり、それらを位置決めするのに手間がかかり、また組み立てた掲示板保持枠の剛性が十分でなく、枠部材が変形し易く、特に強風時等には掲示板保持枠がガタツキを生じるという問題がある。
【０００４】
本発明は、上記の課題に鑑み、選挙終了後はポスター貼付用区画枠線、掲示番号などを印刷した表面側シート部分を本体ボードから剥ぎ取ることにより、本体ボードを再使用できるようにした選挙ポスター掲示板を提供することを目的とする。本発明の他の目的は、掲示板保持枠を組み立てるにあたり、保持枠を形成する縦枠と横枠との直角度を容易に確保でき、位置決めも簡単となって、組立作業が容易に行え、堅固で剛性構造の掲示板保持枠を有する選挙用掲示装置を提供することにある。
【課題を解決するための手段】
【０００５】
上記課題を解決するための手段を、後述する実施形態の参照符号を付して説明すると、請求項１に係る発明の選挙ポスター掲示板１は、本体ボード１ａと、この本体ボード１ａと同じ大きさで、表面にポスター貼付用区画枠線イ、掲示番号ロなどが印刷され、裏面には粘着剤１ｃが塗布されていて、その粘着剤１ｃによって本体ボード１ａの表面に剥離可能に貼り付けられるようになっている掲示板表示用シート１ｂと、からなることを特徴とする。
【０００６】
請求項２は、請求項１に記載の選挙ポスター掲示板において、本体ボード１ａは、アルミニウム板又はペットボトル再生板からなることを特徴とする。
【０００７】
請求項３に係る発明の選挙用掲示装置は、請求項１又は２に記載された選挙ポスター掲示板１と、このポスター掲示板１を表面側に配置して保持する掲示板保持枠２と、からなる選挙用掲示装置であって、前記掲示板保持枠２は、上下横枠３，４、左右縦枠５，６、中間横枠７及び中間縦枠８を枠組みすることによって、その表面側に配置した選挙ポスター掲示板１の周縁部を保持するように形成され、上下横枠３，４及び中間横枠７の各横枠と中間縦枠８との組み付け部は、組み付ける縦横の枠どうしを直角に位置規制するための嵌合用切欠溝１８及び又は１４を介して互いに嵌合させた状態でネジ部材２１により連結してなることを特徴とする。
【０００８】
請求項４は、請求項３に記載の選挙用掲示装置において、掲示板保持枠２の表面側に選挙ポスター掲示板１を配置してその周縁部を保持した状態で、選挙ポスター掲示板１の表面側所定位置から選挙ポスター掲示板１を貫通して中間縦枠８側及び又は中間横枠７側に設けたナット２０にビス２２をねじ込んで選挙ポスター掲示板１を中間縦枠８及び中間横枠７に押し付けて固定するようにしたことを特徴とする。
【０００９】
請求項５は、請求項３又は４に記載の選挙用掲示装置において、上下横枠３，４及び中間横枠７は夫々裏面側にリップ９付き溝部１０を全長に形成した溝形材からなるもので、上横枠３は表面側上縁部に掲示板上縁部保持溝１１を有し、下横枠４は表面側下縁部に掲示板下縁部保持溝１３を有し、左右各縦枠５，６は、上下横枠３，４及び中間横枠７の夫々端面を塞ぐ端板部ｃと、上下横枠３，４及び中間横枠７の裏面側に臨む幅広側板部ａと、それらの表面側に臨む幅狭側板部ｂとを形成した断面略Ｌ字状型材からなるもので、幅広側板部ａから挿通したボルト１６を、上下横枠３，４及び中間横枠７のリップ９付き溝部１０に長手方向スライド自在で回転不能に挿入したナット１７に螺合することにより、上下横枠３，４及び中間横枠７に連結してなることを特徴とする。
【００１０】
請求項６は、請求項３に記載の選挙用掲示装置において、上下各横枠３，４の裏面側に複数個のパイプクランプ２５を配置して、各パイプクランプ２５のクランプ本体２６を、当該クランプ本体２６から各横枠３，４のリップ９付き溝部１０に長手方向スライド自在で回転不能に挿入したナット３０にボルト３１を螺合することにより取付け固定してなることを特徴とする。
【発明の効果】
【００１１】
上記解決手段による発明の効果を、後述する実施形態の参照符号を付して説明すると、請求項１に係る発明の選挙ポスター掲示板１によれば、ポスター貼付用区画枠線イ、掲示番号ロなどを印刷した掲示板表示用シート１ｂが本体ボード１ａに粘着剤１ｃによって剥離可能に貼り付けられるようになっているから、選挙終了後、掲示板表示用シート１ｂは本体ボード１ａから剥がして廃棄処分すればよく、本体ボード１ａは廃棄することなく、そのまま再使用できるため、選挙費用の節減を図ることができると共に、資源保護及び環境保護に貢献することができる。
【００１２】
請求項２に係る発明によれば、本体ボード１ａがペットボトル再生板からなるものであれば、今日大量に使用されて廃棄される産業廃棄物の有効利用に大いに役立つことになり、またアルミニウム板であれば、丈夫で、何度も繰り返し使用できる利点がある。
【００１３】
請求項３に係る発明によれば、上下横枠３，４及び中間横枠７の各横枠と中間縦枠８との組み付け部が、組み付ける縦横の枠どうしを直角に位置規制する嵌合用切欠溝１８及び又は１４を介して互いに嵌合させた状態でネジ部材２１にて連結するようにしているから、各横枠３，４，７と各縦枠８との直角度が容易に確保されると共に、上下横枠３，４及び中間横枠７と中間縦枠８との位置決めが簡単となり、これら横枠３，４，７と縦枠８との格子状組み付け作業を的確にして容易に行うことができる。また縦横の枠どうしを嵌合用切欠溝１８及び又は１４を介して互いに嵌合させるようにすることによって、掲示板保持枠２を堅固で剛性構造にすることが可能となる。
【００１４】
請求項４に係る発明によれば、選挙ポスター掲示板１を貫通して中間縦枠８側及び又は中間横枠７側に設けたナット２０にビス２２をねじ込んで選挙ポスター掲示板１を中間縦枠８及び中間横枠７に押し付けて固定することにより、選挙ポスター掲示板１を掲示板保持枠２に確実に固定できるから、強風等によって選挙ポスター掲示板１がガタついたり、選挙ポスター掲示板１が掲示板保持枠２から離脱するようなおそれがない。
【００１５】
請求項５に係る発明によれば、上下横枠３，４の掲示板上縁部保持溝１１及び掲示板下縁部保持溝１３によって選挙ポスター掲示板１の上下縁部を的確に保持できて掲示板１のガタツキを防止できると共に、断面略Ｌ字状型材からなる左右縦枠５，６を上下横枠３，４及び中間横枠７に連結することによって掲示板保持枠２を一層堅固な剛性構造とすることができ、また左右縦枠５，６の取り付けるにあたり、幅広側板部ａから挿通したボルト１６を上下横枠３，４及び中間横枠７のリップ９付き溝部１０に挿入したナット１７に螺合するようにしているから、上下横枠３，４及び中間横枠７に対する各縦枠５，６の連結位置を横枠長手方向に調整することが可能となる。
【００１６】
請求項６に係る発明によれば、パイプクランプ２５によって掲示板保持枠２を鋼管製支柱Ｐに対し簡単容易に固定でき、またパイプクランプ２５は掲示板保持枠２の上下各横枠３，４に長手方向移動可能に取り付けてあるため、設置された支柱Ｐの位置に合わせてパイプクランプ２５を位置変更することにより、掲示板保持枠２を支柱Ｐに的確に固定できる。
【発明を実施するための最良の形態】
【００１７】
以下に本発明の好適実施形態を図面に基づいて説明すると、図１(a) 及び(b) は本発明に係る選挙ポスター掲示板１の台紙４０付き掲示板表示用シート１ｂを示し、(c) は台紙４０から剥ぎ取った掲示板表示用シート１ｂを本体ボード１ａに貼り付けようとしている状態を示す。図２の(a) は掲示板表示用シート１ｂを本体ボード１ａに貼り付けて形成した選挙ポスター掲示板１を示し、(b) はその拡大断面図である。図３は本発明に係る選挙用掲示装置の掲示板保持枠２をその表側から見た正面図、図４は同掲示板保持枠２をその裏面側から見た背面図、図５は図１の一部拡大図、図６は図４の一部拡大図である。
【００１８】
本発明に係る選挙ポスター掲示板１は、図２の(a) ，(b) から分かるように、本体ボード１ａと、この本体ボード１ａと同じ大きさで、表面にポスター貼付用区画枠線イ及び掲示番号ロの他、選挙名、選挙管理委員会名、注意書きなどの所要事項ハが印刷され、裏面には粘着剤１ｃが塗布されていて、その粘着剤１ｃによって本体ボード１ａの表面に剥離可能に貼り付けられるようになっている耐水性の掲示板表示用シート１ｂと、から構成される。
【００１９】
本体ボード１ａは、ペットボトルを再生して形成されたペットボトル再生板からなるものであるが、アルミニウム板からなるものでもよい。ペットボトル再生板からなる本体ボード１ａによれば、今日大量に使用されて廃棄される産業廃棄物の有効利用に大いに役立つことになる。また、アルミニウム板によれば、多少高価であるが、丈夫で、何度も繰り返し使用できる利点がある。
【００２０】
この選挙ポスター掲示板１を製作する方法について、図１及び図２を参照して説明すると、先ず、例えばポリエチレンフィルムからなる掲示板表示用シート１ｂの裏面に粘着剤１ｃを全面均一に塗布し、これを剥離用の台紙４０に貼り付けて、台紙４０付き掲示板表示用シート１ｂを形成する。次いで、この台紙４０付き掲示板表示用シート１ｂの表面に、ポスター貼付用区画枠線イ及び掲示番号ロの他、選挙名、選挙管理委員会名、注意書きなどの所要事項ハをスクリーン印刷する。こうしてシート表面にスクリーン印刷した台紙４０付き掲示板表示用シート１ｂを図１の(a) ，(b) に示す。
【００２１】
掲示板表示用シート１ｂの裏面に塗布される粘着剤１ｃは、常温で粘着性を有し、軽い圧力で被着材、即ち本体ボード１ａに接着することができると共に、半月ないし一月程度接着しておいた後でも本体ボード１ａから容易に剥ぎ取ることができる材料からなるものである。
【００２２】
次に、図１の(c) に示すように、図１の(a) ，(b) に示す台紙４０付き掲示板表示用シート１ｂの台紙４０から掲示板表示用シート１ｂを剥ぎ取り、このシート１ｂを、裏面側の粘着剤１ｃによって、例えばペットボトル再生板からなる本体ボード１ａの表面に貼り付ける。こうして本体ボード１ａの表面に掲示板表示用シート１ｂを粘着剤１ｃで貼り付けることによって、図２の(a) ，(b) に示すような選挙ポスター掲示板１が出来上がることになる。
【００２３】
こうして製作した選挙ポスター掲示板１は、図３及び図４に示すような掲示板保持枠２の前面側に差し込んで保持した状態で、所定の設置場所に設置されるようになっている。しかして、使用後、つまり選挙終了後は、掲示板保持枠２から選挙ポスター掲示板１を取り出し、この選挙ポスター掲示板１のみを例えば工場に集めて、そこで各選挙ポスター掲示板１の本体ボード１ａから掲示板表示用シート１ｂを剥ぎ取り、この剥ぎ取った掲示板表示用シート１ｂは適宜に廃棄処分し、本体ボード１ａは次の選挙に使用するために保管されることになる。
【００２４】
上述したような本発明に係る選挙ポスター掲示板１によれば、掲示板表示用シート１ｂにポスター貼付用区画枠線イ、掲示番号ロなどを印刷すればよいから、それらをベニヤ合板に直接印刷する従来の選挙ポスター掲示板に比べ、印刷作業が容易となり、そして特に使用後、つまり選挙終了後は工場などで本体ボード１ａから掲示板表示用シート１ｂを剥がして適宜に廃棄処分するが、本体ボード１ａは廃棄することなく、そのまま再使用することができるから、選挙費用の節減を図ることができると共に、資源保護及び環境保護に貢献することができる。
【００２５】
上述した選挙ポスター掲示板１と、このポスター掲示板１を表面側に配置して保持する掲示板保持枠２とによって選挙用掲示装置が構成されるわけであるが、以下に掲示板保持枠２について詳細に説明する。この掲示板保持枠２は、図１及び図２に概略示すように、上下横枠３，４、左右縦枠５，６、中間横枠７及び中間縦枠８を枠組みすることによって形成される。
【００２６】
掲示板保持枠２の上下横枠３，４及び中間横枠７は、図７に示すように、夫々裏面側にリップ９付き溝部１０を全長に形成したアルミ押出の溝形材からなる。上横枠３は、図７の(a) 及び(d) に示すように、表面側の上縁部に選挙ポスター掲示板１の上縁部を保持する断面下向きＬ字状の掲示板上縁部保持溝１１を有し、下横枠４は、図７の(b) 及び(e)
に示すように、表面側の下縁部に選挙ポスター掲示板１の下縁部を保持する断面上向きＬ字状の掲示板下縁部保持溝１３を有する。中間横枠７は、図８に示すように、裏面側にリップ９付き溝部１０を全長に形成したアルミ押出の溝形材からなる。
【００２７】
そして、上下横枠３，４及び中間横枠７には夫々裏面側のリップ９付き溝部１０の所定箇所に、図６、図８の(b) 及び図１２の(b) に示すように、中間縦枠８を組み付ける際にそれらの枠どうしを直角に位置規制するための嵌合用切欠溝１４が、溝部１０の長手方向と直交する方向に切欠形成されている。また、図６〜図８に示すように、上下横枠３，４及び中間横枠７には夫々一端部に、リップ９付き溝部１０内にナット１７を挿入するためのナット挿入口１５が設けられている。
【００２８】
また、図９，図１０及び図１３に示すように、左右各縦枠５，６は、上横枠３、下横枠４及び中間横枠７の夫々の端面を塞ぐ端板部ｃと、上横枠３、下横枠４及び中間横枠７の夫々裏面側に臨む幅広側板部ｂと、それらの表面側に臨む幅狭側板部ａとを形成したアルミ押出の断面略Ｌ字状型材からなるもので、図１３から分かるように、上下横枠３，４及び中間横枠７の夫々の端部に被嵌して、幅広側板部ａから挿通したボルト１６を、上下横枠３，４及び中間横枠７のリップ９付き溝部１０に長手方向スライド自在で回転不能に予め挿入したナット１７に螺合することにより、上下横枠３，４及び中間横枠７の端部どうしを一体的に連結するようになっている。
【００２９】
また、図９の(b) 、図１１及び図１２の(a) ，(b) に示すように、中間縦枠８は、アルミ押出の角筒状型材からなるもので、上下横枠３，４及び中間横枠７との組み付け部である両端部及びその中間部には、前記した上下横枠３，４及び中間横枠７の嵌合用切欠溝１４に嵌合すると共にリップ９付き溝部１０の両側壁部に嵌合する夫々一対の嵌合用切欠溝１８，１８が、中間縦枠８の長手方向と直交する方向に切欠形成されている。
【００３０】
そして各中間縦枠８には各一対の嵌合用切欠溝１８，１８間に、中間縦枠固定用のナット１９が、中間縦枠８の表側に開口するようにカシメ加工によって一体的に取り付け固定されており、このナット１９には中間縦枠固定用のビス２１がねじ込まれることになる。また中間縦枠８には、図１６の(b) に示すように、端部側嵌合用切欠溝１８，１８対と中間部側嵌合用切欠溝１８，１８対との間に、選挙ポスター掲示板固定用のナット２０が、上記ナット１９と同様に中間縦枠８の表側に開口するようにカシメ加工により一体的に取り付け固定されており、このナット２０には選挙ポスター掲示板固定用のビス２２がねじ込まれるようになっている。この選挙ポスター掲示板固定用ナット２０は、中間横枠７にも設けられていて、図１６の(c) に示すように、中間横枠７の表側に開口するようにカシメ加工により一体的に取り付け固定されている。
【００３１】
図４に概略示すように、掲示板保持枠２の上下各横枠３，４にはその裏面の左右両端側にパイプクランプ２５が取り付けられている。各パイプクランプ２５は、周知構造のもので、図１７の(a) ，(b) に示すように、クランプ本体２６と、このクランプ本体２６の一端部に枢着され、クランプ本体２６と共に鋼管製支柱Ｐ（図１８参照）を抱持する可動腕２７と、クランプ本体２６の他端部に枢着され、可動腕２７の遊端部に係止される締付用ボルト２８及びこれに螺合されたナット２９とによって構成され、クランプ本体２６は、このクランプ本体２６の底壁部に設けたボルト挿通孔２６ａから各横枠３，４のリップ９付き溝部１０に長手方向スライド自在で回転不能に挿入したナット３０にクランプ本体固定用ボルト３１を螺合することによって、各横枠３，４にその長手方向に沿って取付位置変更自在に取付け固定されている。
【００３２】
以上、掲示板保持枠２を枠組み構成する上下横枠３，４、左右縦枠５，６、中間横枠７及び中間縦枠８を枠組みする構造について説明したが、次に、これら上下横枠３，４及び中間横枠７を組み付けて、図３及び図４に示すような掲示板保持枠２を組み立てるには、中間縦枠８を左右方向に所定間隔おきに並べ、これら中間縦枠８の表側に上下横枠３，４及び中間横枠７を配して、各横枠３，４，７と中間縦枠８とを格子状に組み付け、この組み付けにあたっては、図１２の(a) ，(b) に示すように夫々の嵌合用切欠溝１４，１８を介して各横枠３，４，７と中間縦枠８とを互いに嵌合させる。
【００３３】
しかして、図１１の(a) ，(b) に示すように、各横枠３，４，７の所定位置に設けてある皿ビス孔３３（各横枠３，４，７の両端部にはボルト貫通孔２３が設けてある）から、各中間縦枠８内に取り付けられた中間縦枠固定用のナット１９に、ネジ部材としての中間縦枠固定用ビス２１をねじ込んで締め付けることにより、上下横枠３，４及び中間横枠７と複数本の中間縦枠８とを互いに直角に連結固定する。
【００３４】
この場合、上下各横枠３，４及び各中間横枠７と各中間縦枠８との組み付け部は、図１１及び図１２によって説明したように、組み付けられる横枠３，４，７と縦枠８とを互いに直角に位置規制するための嵌合用切欠溝１４，１８を介して、互いに嵌合させた状態で、ビス２１（ネジ部材）により連結するようにしているから、各横枠３，４，７と各縦枠８との直角度が容易に確保されると共に、上下横枠３，４及び中間横枠７と中間縦枠８との位置決めが簡単となり、これら横枠３，４，７と縦枠８との格子状組み付け作業を的確にして簡単容易に行うことができる。
【００３５】
上記のようにして上下横枠３，４及び中間横枠７と中間縦枠８とを格子状に組み付けて互いに直角に一体的に連結固定した後、左右の縦枠５，６を上下横枠３，４及び中間横枠７の両端部に夫々被嵌し、しかしてボルト１６をワッシャー３４に通して（図１３の(c)
参照）、各縦枠５，６の幅広側板部ａの端部に設けてあるボルト挿通孔２４（図９参照）から、上下横枠３，４及び中間横枠７の夫々リップ９付き溝部１０に長手方向スライド自在で回転不能に予め挿入したナット１７に螺合して締め付けることにより、上下横枠３，４及び中間横枠７の端部どうしを左右縦枠５，６で一体的に連結する。これによって、きわめて堅固で剛性構造の掲示板保持枠２を組み立て形成することができる。尚、この場合、左右両方の縦枠５，６とも取り付けてしまうと、掲示板保持枠２にポスター掲示板１を挿入することができず、また各ボルト１６を最後まで締め込んでしまうと、ボルト１６の先端部が各横枠３，４，７の両端部に設けてあるボルト貫通孔２３（図７の(a) 〜(c) 、図１１の(c) 参照）を貫通してポスター掲示板１の挿入路を塞ぐことになる（図１３(c)
参照）ため、左右両方の縦枠５，６のうち片方だけ、例えば左側縦枠５だけを取り付けておき、しかもボルト１６は各横枠３，４，７のボルト貫通孔２３を貫通しない程度に締め付けておく。各横枠３，４，７の両端部に設けてあるボルト貫通孔２３は、後述するように、左右縦枠５，６を取り付けるボルト１６を締め込んだ時にそのボルト１６の先端部を貫通させてポスター掲示板１を掲示板保持枠２に押し付け固定するための孔である。
【００３６】
しかして、図１４に示すように、右側の縦枠６が取り付けられていない掲示板保持枠２に対し、その表面側の右端部から選挙ポスター掲示板１を差し込んで手で押しながらスライドさせて挿入し終えた後、右側縦枠６を取り付け、選挙ポスター掲示板１を図１５に示すような状態とする。これによって、選挙ポスター掲示板１の上縁部及び下縁部は、図１６の(a) に示すように、上横枠３の掲示板上縁部保持溝１１及び下横枠４の掲示板上縁部保持溝１３によって離脱不能に保持され、また選挙ポスター掲示板１の左右各縁部は、図１１の(b) から分かるように左右各縦枠５，６の幅狭側板部ｂによって離脱不能に保持される。
【００３７】
尚、選挙ポスター掲示板１を掲示板保持枠２に取り付けるには、選挙ポスター掲示板１がアルミニウム板からなる場合は、上記のように選挙ポスター掲示板１を掲示板保持枠２の一端側から差し込めばよいし、選挙ポスター掲示板１がペットボトル再生板からなる場合には、選挙ポスター掲示板１の上下方向中央部を外側へ略々くの字状に湾曲させた状態でその上下縁部を上下横枠３，４の保持溝１１，１３に挿入させて嵌合保持させることができる。
【００３８】
こうして掲示板保持枠２の表面側に選挙ポスター掲示板１を嵌め込んでその周縁部を上下横枠３，４及び左右縦枠５，６により保持した状態で、選挙ポスター掲示板１の表面側所定位置に設けてある皿ビス孔３２（図１６の(b) ，(c) 参照）から中間縦枠８側及び中間横枠７側に取り付けてあるナット２０にポスター掲示板固定用ビス２２をねじ込んで、ポスター掲示板１を中間縦枠８及び中間横枠７に押し付けることにより、ポスター掲示板１を掲示板保持枠２に対し固定することができる。そしてまた、図示は省略するが、左右縦枠５，６を上下横枠３，４及び中間横枠７に固定するための各ボルト１６を、その先端部が各横枠３，４，７のボルト貫通孔２３を貫通するように十分締め込むことにより、このボルト１６の先端部でポスター掲示板１の周辺部を横枠３，４，７及び左右縦枠５，６に押し付けて固定することができる。これによって、ポスター掲示板１の全体が掲示板保持枠２に的確に固定される。尚、上記ポスター掲示板固定用ビス２２をねじ込むのは、中間縦枠８側のナット２０の数箇所のみでもよいし、あるいは中間横枠７側のナット２０の数箇所のみでもよい。
【００３９】
上記のようにして掲示板保持枠２に嵌め込んだ選挙ポスター掲示板１の複数箇所を選挙選挙ポスター掲示板固定用ビス２２で掲示板保持枠２に固定した後、図１８に示すように、選挙用掲示装置の設置場所に立設された鋼管製支柱Ｐ，Ｐに対しパイプクランプ２５によって掲示板保持枠２を固定する。この場合、パイプクランプ２５は、図１７によって説明したように、掲示板保持枠２の上下各横枠３，４に長手方向移動可能に取り付けてあるから、設置された支柱Ｐの位置に合わせてパイプクランプ２５を位置変更することにより、掲示板保持枠２を支柱Ｐに的確に固定することができる。
【００４０】
上記のようにして設置した選挙用掲示装置を所定期間使用した後、撤去する時には、選挙ポスター掲示板固定用ビス２２を抜いてから左右何れかの縦枠５又は６を取り外し、選挙ポスター掲示板１を掲示板保持枠２から引き出せばよく、しかして掲示板保持枠２は再使用することができる。また、選挙ポスター掲示板１は、本体ボード１ａから掲示板表示用シート１ｂを剥ぎ取り、この剥ぎ取った掲示板表示用シート１ｂは廃棄処分し、本体ボード１ａは次の選挙に使用するために保管される。
【００４１】
上述した実施形態では、嵌合用切欠溝を中間横枠７と上下及び中間の横枠３，４，７の何れにも形成しているが、この嵌合用切欠溝は、中間横枠７のみに設けてもよいし、又は横枠３，４，７のみに設けてもよい。但し、この実施形態のように、中間横枠７と上下及び中間の横枠３，４，７の何れにも嵌合用切欠溝を形成すれば、その片方のみ形成した場合よりも、上下横枠３，４及び中間横枠７と中間縦枠８との位置決めが容易となる。
【図面の簡単な説明】
【００４２】
【図１】(a) 及び(b) は本発明に係る選挙ポスター掲示板の台紙付き掲示板表示用シートを示す斜視図、(c) は台紙から剥ぎ取った掲示板表示用シートを本体ボードに貼り付けようとしている状態を示す拡大断面図である。
【図２】(a) は掲示板表示用シートを本体ボードに貼り付けて形成した選挙ポスター掲示板を示す斜視図、(b) はその拡大断面図である。
【図３】本発明に係る選挙用掲示装置の掲示板保持枠をその表側から見た正面図である。
【図４】同掲示板保持枠をその裏面側から見た背面図である。
【図５】図３の一部拡大図である。
【図６】図４の一部拡大図である。
【図７】(a) は掲示板保持枠の上横枠を表側から見た正面図、(b) は下横枠を表側から見た正面図、(c) は上下横枠を裏側から見た背面図、(d) は上横枠の端面図、(e) は下横枠の端面図である。
【図８】(a) は中間横枠を表側から見た正面図、(b) は同中間横枠を裏側から見た背面図、(c) は同中間横枠の端面図である。
【図９】(a) は左縦枠を裏側から見た背面図、(b) は中間縦枠を表側から見た正面図、(c) は右縦枠を裏側から見た背面図、(d) は左縦枠の端面図、(e) は中間縦枠の端面図、(f) は右縦枠の端面図である。
【図１０】掲示板保持枠の組み立て要領を示す説明図である。
【図１１】(a) は上下横枠及び中間横枠と中間縦枠との組み付け要領を示すもので、図１０のＶ−Ｖ線に沿って断面したような一部断面説明図、(b) はその組み付けを終えた状態の一部断面説明図である。
【図１２】(a) は中間縦枠に嵌合用切欠溝を切欠形成した状態を示す斜視図、(b) は嵌合用切欠溝を介して上下横枠及び中間横枠と中間縦枠とを組み付ける要領を示す説明斜視図である。
【図１３】(a) は図６のＺ−Ｚ線断面図であり、上下横枠及び中間横枠と縦枠との組み付け状態を示し、(b) は上下横枠及び中間横枠に組付けられた縦枠の断面図、(c) は(a) の一部拡大図で、縦枠の幅広側板部からボルトを横枠のリップ付き溝部内のナットに螺合しようとする状態を説明している。
【図１４】掲示板保持枠に選挙ポスター掲示板を嵌め込んでいる状態の正面図である。
【図１５】掲示板保持枠に選挙ポスター掲示板を嵌め込み終えた状態の正面図である。
【図１６】(a) は図１５のＷ−Ｗ線断面図、(b) は図１５のＸ−Ｘ線断面図、(c) は図１５のＹ−Ｙ線断面図である。
【図１７】(a) は掲示板保持枠の横枠にパイプクランプを取り付けた状態を示す斜視図、(b) は同取付状態の正面図である。
【図１８】パイプクランプによって掲示板保持枠を支柱に固定した状態を示す斜視図である。
【符号の説明】
【００４３】
１          選挙ポスター掲示板
１ａ        本体ボード
１ｂ        掲示板表示用シート
１ｃ        粘着剤
イ          ポスター貼付用区画枠線
ロ          掲示番号
２          掲示板保持枠
３          上横枠
４          下横枠
５，６      左右縦枠
７          中間横枠
８          中間縦枠
１０        リップ付き溝部
１１        掲示板上縁部保持溝
１３        掲示板下縁部保持溝
１４，１８  嵌合用切欠溝
２５        パイプクランプ
【図１】
2006171395.tif 000003
【図２】
2006171395.tif 000004
【図３】
2006171395.tif 000005
【図４】
2006171395.tif 000006
【図５】
2006171395.tif 000007
【図６】
2006171395.tif 000008
【図７】
2006171395.tif 000009
【図８】
2006171395.tif 000010
【図９】
2006171395.tif 000011
【図１０】
2006171395.tif 000012
【図１１】
2006171395.tif 000013
【図１２】
2006171395.tif 000014
【図１３】
2006171395.tif 000015
【図１４】
2006171395.tif 000016
【図１５】
2006171395.tif 000017
【図１６】
2006171395.tif 000018
【図１７】
2006171395.tif 000019
【図１８】
2006171395.tif 000020